(57)【特許請求の範囲】
【請求項１】
内視鏡の操作部に設けられた操作ハンドルにおいて、操作者の指を当てるための指当て面の輪郭を形成する輪郭壁の内側を、貫通孔によってくり抜いたことを特徴とする内視鏡の操作ハンドル。
【請求項２】
上記貫通孔が、上記指当て面の輪郭壁の厚みをほぼ一定にする形状に形成されている請求項１記載の内視鏡の操作ハンドル。
【請求項３】
上記操作ハンドルが、上記内視鏡の挿入部の先端付近に形成された湾曲部を屈曲させるための湾曲操作ノブである請求項１又は２記載の内視鏡の操作ハンドル。
【請求項４】
上記操作ハンドルが、上記内視鏡の挿入部の先端において処置具類の突出方向を変化させるための処置具起上操作レバーである請求項１又は２記載の内視鏡の操作ハンドル。
【発明の詳細な説明】
【０００１】
【発明の属する技術分野】
この発明は、内視鏡の操作部に設けられた操作ハンドルに関する。
【０００２】
【従来の技術】
内視鏡の操作部には、挿入部の先端付近に形成された湾曲部を屈曲させるための湾曲操作ノブや、挿入部の先端において処置具類の突出方向を変化させるための処置具起上操作レバー等、各種の操作ハンドルが設けられている。
【０００３】
図４及び図５はそのような従来の内視鏡の操作ハンドルを示しており、９０は操作部ケース、９１は、上下方向の湾曲操作を行うための上下方向湾曲操作ノブ、９２は、左右方向の湾曲操作を行うための左右方向湾曲操作ノブ、９３は、処置具起上操作レバーである。
【０００４】
上下方向湾曲操作ノブ９１は５か所に指当て部９１ａが突設された輪状のノブ、左右方向湾曲操作ノブ９２は４か所に指当て部９２ａが突設された輪状のノブであり、処置具起上操作レバー９３には、指当て部９３ａが一か所だけ形成されている。
【０００５】
それら各ノブ９１，９２とレバー９３は、いずれもプラスチックモールドによって形成されているが、モールド成型時に歪みが発生しないように、各指当て部９１ａ，９２ａ，９３ａには、裏面側に凹み部９１ｂ，９２ｂ，９３ｂが形成されている。
【０００６】
【発明が解決しようとする課題】
しかし、上述のように指当て部９１ａ，９２ａ，９３ａの裏面側に凹み部９１ｂ，９２ｂ，９３ｂがあると、内視鏡使用後の洗浄時に凹み部９１ｂ，９２ｂ，９３ｂ内に洗浄液等が溜まって洗浄終了後まで残留したり、汚物等が溜まって不衛生的になるおそれがある。
【０００７】
そこで本発明は、洗浄液や汚物等が溜まるおそれのない衛生的な内視鏡の操作ハンドルを提供することを目的とする。
【０００８】
【課題を解決するための手段】
上記の目的を達成するため、本発明の内視鏡の操作ハンドルは、内視鏡の操作部に設けられた操作ハンドルにおいて、操作者の指を当てるための指当て面の輪郭を形成する輪郭壁の内側を、貫通孔によってくり抜いたことを特徴とする。
【０００９】
そして、上記貫通孔が、上記指当て面の輪郭壁の厚みをほぼ一定にする形状に形成されていてもよい。
なお、上記操作ハンドルが、上記内視鏡の挿入部の先端付近に形成された湾曲部を屈曲させるための湾曲操作ノブであってもよく、上記操作ハンドルが、上記内視鏡の挿入部の先端において処置具類の突出方向を変化させるための処置具起上操作レバーであってもよい。
【００１０】
【発明の実施の形態】
図面を参照して実施の形態を説明する。
図３は内視鏡の挿入部１と操作部１０を示しており、挿入部１の先端部付近には、操作部１０からの遠隔操作によって屈曲自在な湾曲部２が形成されていて、対物光学系等を内蔵した先端部本体３がその先端に連結されている。
【００１１】
挿入部１と操作部１０との連結部付近には、処置具類を挿入するための処置具挿入口部４が突設されていて、挿入部１内に挿通配置された処置具挿通チャンネルに処置具類を挿入することにより、処置具類の先端部分を先端部本体３から突出させることができる。
【００１２】
先端部本体３には、起上台操作ワイヤ６を介して操作部１０からの遠隔操作によって回動する処置具起上台５が内蔵されていて、処置具の突出方向を変化させることができる。
【００１３】
操作部１０には、湾曲部２を上下方向に屈曲させる操作を行うための上下方向湾曲操作ノブ２０、湾曲部２を左右方向に屈曲させる操作を行うための左右方向湾曲操作ノブ４０、及び処置具起上台５を回動操作するための処置具起上操作レバー６０が同軸に回転自在に配置されている。
【００１４】
図１及び図２はその部分を拡大して示している。図２に示されるように、操作部ケース１１内に設けられたフレーム１２には、内軸受１３と外軸受１４とが操作部ケース１１から突出するように同軸に固定されていて、外軸受１４の内周に上下方向湾曲回転筒２１が回転自在に嵌合し、内軸受１３の外周に左右方向湾曲回転筒４１が回転自在に嵌合している。
【００１５】
回転筒２１，４１の奥側端部に連結された上下方向湾曲ドラム２２と左右方向湾曲ドラム４２には、先端が湾曲部２に達する湾曲操作ワイヤ２３，４３が巻回、固着されている。
【００１６】
また、上下方向湾曲回転筒２１と左右方向湾曲回転筒４１の突端側端部には、各々つなぎ環２４，４４を介して上下方向湾曲操作ノブ２０と左右方向湾曲操作ノブ４０が連結されている。
【００１７】
その結果、上下方向湾曲操作ノブ２０と左右方向湾曲操作ノブ４０を適宜回転操作すると、回転筒２１，４１を介して湾曲ドラム２２，４２が回転して湾曲操作ワイヤ２３，４３が牽引され、湾曲部２を任意の方向に任意の角度だけ屈曲させることができる。
【００１８】
上下方向湾曲操作ノブ２０の内側に配置されているつなぎ環２４の裏側の部分には、上下方向湾曲回転筒２１の回転動作に対して摩擦抵抗を付加するための公知の摩擦機構２５が設けられている。
【００１９】
その結果、側方に突出して設けられた上下方向湾曲ロックレバー２６を回動操作することによって、その摩擦力の付加／解除を切り換え操作することができる。摩擦力が付加された状態では、上下方向湾曲操作ノブ２０が回転操作された位置で静止し、湾曲部２の屈曲状態を維持させることができる。
【００２０】
左右方向湾曲操作ノブ４０の内側に配置されているつなぎ環４４の表側の部分には、左右方向湾曲回転筒４１の回転動作に対して摩擦抵抗を付加するための公知の摩擦機構４５が設けられている。
【００２１】
その結果、軸線方向に突出して設けられた左右方向湾曲ロックレバー４６を回動操作することによって、その摩擦力の付加／解除を切り換え操作することができる。摩擦力が付加された状態では、左右方向湾曲操作ノブ４０が回転操作された位置で静止し、湾曲部２の屈曲状態を維持させることができる。
【００２２】
操作部ケース１１内には、起上台操作ワイヤ６を進退駆動するためのワイヤ牽引部６１が設けられており、操作部ケース１１の表面部に設けられた処置具起上操作レバー６０が、外軸受１４の外周に回転自在に嵌合して設けられた回転環６２とつなぎ環６４とを介してワイヤ牽引部６１に連結されている。
【００２３】
その結果、処置具起上操作レバー６０を回動操作することによってワイヤ牽引部６１が駆動され、起上台操作ワイヤ６を進退させて処置具起上台５を回動させ、先端部本体３からの処置具類の突出方向を変化させることができる。１５は、回転環６２と操作部ケース１１との間の空間を塞ぐための塞ぎ環である。
【００２４】
なお、上述の各機構における部材間の必要な部分には、シール用のＯリング８０が装着されていて、機構内部や操作部ケース１１内に外部から水や汚物が入らないようになっている。
【００２５】
このように構成された機構において、図１に示されるように、上下方向湾曲操作ノブ２０は等間隔で５か所に指当て部２０ａが突出形成された輪状のノブ、左右方向湾曲操作ノブ４０は等間隔で４か所に指当て部４０ａが突出形成された輪状のノブであり、処置具起上操作レバー６０には、指当て部６０ａが一か所だけ形成されている。
【００２６】
それら、各ノブ２０，４０とレバー６０は、いずれもプラスチックモールドによって形成されており、各指当て部２０ａ，４０ａ，６０ａは、いずれも軸線方向と平行方向の面が操作者の指を当てるための指当て面２０ｃ，４０ｃ，６０ｃになっている。
【００２７】
そして、各指当て部２０ａ，４０ａ，６０ａは、軸線方向とほぼ平行な貫通孔２０ｂ，４０ｂ，６０ｂによって、指当て面２０ｃ，４０ｃ，６０ｃの輪郭を形成する輪郭壁の内側がくり抜かれており、図１に示されるように、貫通孔２０ｂ，４０ｂ，６０ｂは各指当て面２０ｃ，４０ｃ，６０ｃの輪郭壁の厚みをほぼ一定にする形状に形成されている。
【００２８】
したがって、湾曲操作ノブ２０，４０及び処置具起上操作レバー６０は、モールド成型時に歪みが発生しないだけでなく、内視鏡使用後の洗浄時に各指当て部２０ａ，４０ａ，６０ａ内に洗浄液が溜まって洗浄終了後まで残留したり、汚物等が溜まって不衛生的になるおそれがない。また、操作部の軽量化にもなっている。
【００２９】
【発明の効果】
本発明によれば、操作ハンドルの指当て面の輪郭を形成する輪郭壁の内側を貫通孔によってくり抜いたことにより、内視鏡使用後の洗浄時に指当て部内に洗浄液が溜まって洗浄終了後まで残留したり、汚物等が溜まって不衛生的になるおそれがなく、操作部の軽量化にも寄与する。
【図面の簡単な説明】
【図１】本発明の実施の形態の内視鏡の操作ハンドル部分の正面図である。
【図２】本発明の実施の形態の内視鏡の操作ハンドル部分の側面断面図である。
【図３】本発明の実施の形態の内視鏡の全体構成図である。
【図４】従来の内視鏡の操作ハンドル部分の正面図である。
【図５】従来の内視鏡の操作ハンドル部分の側面断面図である。
【符号の説明】
２０  上下方向湾曲操作ノブ
２０ａ  指当て部
２０ｂ  貫通孔
２０ｃ  指当て面
４０  左右方向湾曲操作ノブ
４０ａ  指当て部
４０ｂ  貫通孔
４０ｃ  指当て面
６０  処置具起上操作レバー
６０ａ  指当て部
６０ｂ  貫通孔
６０ｃ  指当て面
【図１】
0003881423.tif 000002
【図２】
0003881423.tif 000003
【図３】
0003881423.tif 000004
【図４】
0003881423.tif 000005
【図５】
0003881423.tif 000006